(57)【要約】      （修正有）【課題】ピアスを耳に装着した際に、装飾体を所望の向きに調整することができると共に装飾体を所望の向きに向かせたまま保持させることである。【解決手段】装飾体２と、回転機構４を介して装飾体２に回動可能に連結される装着ピン３と、を備える。前記回転機構４は、装飾体２に設けられる上板部８と下板部９を有する第１回転部材と、装着ピン３に設けられる第２回転部材７とを備え、第１回転部材と第２回転部材７とが互いに回転可能に連結されると共に、第１回転部材と第２回転部材７との間に装飾体２又は装着ピン３を所望の回動位置で保持する弾性体１１が配置される。【選択図】図３
2020000480.tif 000002
【特許請求の範囲】
【請求項１】
装飾体と、回転機構を介して装飾体に回動可能に連結される装着ピンと、を備え、
前記回転機構は、装飾体又は装着ピンを所望の回動位置で保持する回動保持手段を有するピアス。
【請求項２】
前記回転機構は、装飾体に設けられる第１回転部材と、装着ピンに設けられる第２回転部材とを備え、
第１回転部材と第２回転部材とが互いに回転可能に連結されると共に、第１回転部材と第２回転部材との間に前記回動保持手段が配置される請求項１に記載のピアス。
【請求項３】
前記回動保持手段が、第１回転部材と第２回転部材との間に弾性的に配置される弾性体を有する請求項１又は２に記載のピアス。
【請求項４】
前記弾性体が、第１回転部材及び第２回転部材の少なくとも一方に形成された収容部に保持される請求項３に記載のピアス。
【請求項５】
前記回転機構は、さらに装飾体と装着ピンとの間の回動範囲を規制するストッパ手段を備える請求項１又は２に記載のピアス。
【請求項６】
前記ストッパ手段は、第１回転部材及び第２回転部材の一方に形成された凹部と、この凹部と向かい合うようにして他方に形成され凸部とを有し、前記装飾体又は装着ピンの回動時に前記凹部に凸部が嵌り込むことで、前記装飾体又は装着ピンの回動が規制される請求項５に記載のピアス。
【発明の詳細な説明】
【技術分野】
【０００１】
本発明は、耳に装着されたピアスの装飾体を所望の向きに調整することのできるピアスに関する。
【背景技術】
【０００２】
一般にピアスは、宝石などの装飾体と、装飾体から延びる装着ピンとを備え、耳たぶに設けた孔に装着ピンを差し込み、耳たぶの後側から装着ピンにキャッチを嵌め込んで、耳に装着するものが多い。ところで、最近のピアスの中にはよりデザイン性を高めるために装飾体を大きくしたものがある。大きな装飾体を備えたピアスは、顔の正面から見たときの装飾効果が大きくなるので、耳に装着した際には常に装飾体を顔の正面に向かせたい要請がある。
【０００３】
従来、耳に装着されたピアスの装飾体を顔の正面に向かせるようにしたピアスが提案されている（特許文献１)。このピアスは、飾り部の一端部から突出・延在された金属ピンを約２０°内側に傾斜させたものである。このピアスは、金属ピンが耳たぶの頬に対する角度に相当する分だけ傾斜させて飾り部に取り付けられているため、ピアスを装着したときに飾り部を頬にほぼ平行にフットさせて顔の正面に向かせることができる。
【先行技術文献】
【特許文献】
【０００４】
【特許文献１】実開昭６１-１４７０１５号公報
【発明の概要】
【発明が解決しようとする課題】
【０００５】
しかしながら、上記特許文献１に開示されているピアスにあっては、金属ピンが飾り部の一端部に所定角度だけ傾斜した状態で固定されているため、飾り部の向きを任意に調整することができない。また、飾り部の形状やデザインなども様々なものがあるので、飾り部を頬にほぼ平行にフットさせたとしても、常に飾り部が顔の正面を向くとは限らない。
【０００６】
そこで、本発明が解決しようとする課題は、耳にピアスを装着した際に、装飾体を所望の向きに調整できるようにすることである。
【課題を解決するための手段】
【０００７】
上記課題を解決するために、本発明に係るピアスは、装飾体と、回転機構を介して装飾体に回動可能に連結される装着ピンと、を備え、前記回転機構は、装飾体又は装着ピンを所望の回動位置で保持する回動保持手段を有している。
【０００８】
また、本発明に係るピアスの一実施形態は、前記回転機構が、さらに装飾体と装着ピンとの間の回動範囲を規制するストッパ手段を備えている。
【発明の効果】
【０００９】
本発明に係るピアスによれば、装飾体と装着ピンとを回動可能に連結する回転機構に、装飾体又は装着ピンを所望の回動位置で保持する回動保持手段を設けたので、ピアスを耳に装着した際に、装飾体を所望の向きに調整することができると共に装飾体を所望の向きに向かせた状態で保持させることができる。
【００１０】
また、本発明に係るピアスによれば、前記回転機構が、さらに装飾体と装着ピンとの間の回動範囲を規制するストッパ手段を備えているので、装飾体又は装着ピンを不用意に回動させ過ぎることがない。
【図面の簡単な説明】
【００１１】
【図１】本発明の一実施形態に係るピアスの斜視図である。
【図２】本発明に係るピアスの回転機構を平面側から見た時の分解斜視図である。
【図３】前記回転機構を底面側から見た時の分解斜視図である。
【図４】装着ピンがストッパ手段の規制から外れている状態を示す断面図である。
【図５】装着ピンがストッパ手段により規制されている状態を示す断面図である。
【図６】耳に装着された装飾体の向きを調整する前の状態を示す説明図である。
【図７】耳に装着された装飾体の向きを調整した後の状態を示す説明図である。
【図８】回転機構の他の実施形態を示す図５と同様の断面図である。
【発明を実施するための形態】
【００１２】
以下、本発明に係るピアスの実施形態を図面に基づいて詳細に説明する。なお、図面は、本発明のピアスを模式的に表したものである。これらの実物の寸法および寸法比は、図面上の寸法および寸法比と必ずしも一致していない。また、重複説明は適宜省略させることがあり、同一部材には同一符号を付与することがある。さらに、本発明の技術的範囲は以下で説明する実施形態には限定されず、特許請求の範囲に記載された発明とその均等物に及ぶ点に留意されたい。
【００１３】
図１乃至図５には本発明の一実施形態に係るピアス１が示されている。このピアス１は、リング状の装飾体２と、回転機構４を介して装飾体２に回動可能に連結される装着ピン３と、を備えている。装飾体２は、円形のリングの一部が開放されており、開放されている一端部に回転機構４を介して装着ピン３が連結されている。なお、符号５はピアス１の装着時に装着ピン３の先端から差し込むキャッチである。なお、装飾体２、装着ピン３及び回転機構４を形成している貴金属材料の種類は、特に限定されないものである。
【００１４】
前記回転機構４は、図２及び図３に示されるように、装飾体２の一端部２ａに設けられる第１回転部材６と、装着ピン３の一端部３ａに設けられ前記第１回転部材６と回転可能に連結される第２回転部材７と、を備えている。第１回転部材６は、平面視で四角形状の上板部８と、その下側に配置されて前記上板部８とほぼ同一形状の下板部９とを有する。上板部８と下板部９とは離間しており、両者の間には第２回転部材７の厚みに相当する幅寸法の隙間１０が形成されている。
【００１５】
また、前記上板部８は、第１上面８ａ、第１上面８ａとは反対側に位置する第１下面８ｂ、及び第１上面８ａの周縁と第１下面８ｂの周縁との間を取り囲む４面からなる第１外周面８ｃとを有し、４面のうちの１つの第１外周面が装飾体２の一端部２ａにロウ付けされている。一方、前記下板部９は、前記上板部８の第１下面８ｂと対向する第２上面９ａ、第２上面９ａとは反対側に位置する第２下面９ｂ、及び第２上面９ａの周縁と第２下面９ｂの周縁との間を取り囲む４面からなる第２外周面９ｃとを有し、４面のうちの１つの第２外周面が装飾体２の一端部２ａにロウ付けされている。なお、第１回転部材６は、前述したように、上板部８及び下板部９をそれぞれ装飾体２の一端部２ａにロウ付けすることにより設けられる他、上板部８と下板部９を一体に形成した第１回転部材６を装飾体２にロウ付けしてもよく、さらには装飾体２の一部として装飾体２と一体成形により設けられることもある。
【００１６】
前記上板部８と下板部９は、装飾体２の一端部２ａから互いに平行に延びている。また、前記上板部８の第１上面８ａと第１下面８ｂ、下板部９の第２上面９ａと第２下面９ｂも互いに平行である。さらに、前記上板部８の第１上面８ａと第１下面８ｂ、下板部９の第２上面９ａと第２下面９ｂは、いずれも平滑な平面である。
【００１７】
上板部８の中心には第１上面８ａと第１下面８ｂとを貫通する第１取付孔８ｄが設けられている。また、下板部９の中心にも第２上面９ａと第２下面９ｂとを貫通する第２取付孔９ｄが、前記第１取付孔８ｄと同軸上に設けられている。そして、さらに上板部８の第１下面８ｂには、図３に示されるように、装飾体２又は装着ピン３を所望の回動位置で保持する回動保持手段としての弾性体１１を保持する収容部８ｅが設けられている。この収容部８ｅは、第１下面８ｂの中央部において第１取付孔８ｄを取り込むようにして形成される円形の凹みからなる。弾性体１１は、円板状に形成された適度の弾性を備えた板状弾性材、例えばシリコンゴムなどからなる。弾性体１１の中央には上板部８に設けられた第１取付孔８ｄに対応した円孔１１ａが設けられている。弾性体１１の直径は、収容部８ｅの内径寸法とほぼ同じであり、弾性体１１の厚みは、収容部８ｅの高さ寸法よりやや大きい。そのため、収容部８ｅに弾性体１１が保持された際には、弾性体１１が収容部８ｅにフィットすると共に、弾性体１１の厚みの一部が収容部８ｅからはみ出して上板部８の第１下面８ｂから少し突出する。なお、前記弾性体１１は、シリコンゴム以外の板状又はシート状の弾性材によって形成されていても良く、さらに板バネやワッシャなどの弾性を備えた金属材料などで形成されたものであってもよい。
【００１８】
前記回転機構４は、さらに装飾体２と装着ピン３との間の回動範囲を規制するストッパ手段を備えている。このストッパ手段は、図２及び図３に示されるように、第１回転部材６に形成された一対の凹部９ｅ，９ｆと、この凹部９ｅ，９ｆと向かい合うようにして第２回転部材７に形成された凸部７ｅとからなる。前記装飾体２又は装着ピン３の回動時に前記凹部９ｅ又は９ｆに凸部７ｅが嵌り込むことで、前記装飾体２又は装着ピン３の回動が規制される。前記凹部９ｅ，９ｆは、図２に示されるように、第１回転部材６の下板部９の第２上面９ａに設けられる。詳細には第２上面９ａの先端側の左右角部付近にそれぞれが設けられる。これらの凹部９ｅ，９ｆは、例えば半球状の窪みによって形成され、下板部９の第２上面９ａの中心部と左右の角部９ｇとを結ぶライン上に配置されている。
【００１９】
一方、前記第２回転部材７は、前記第１回転部材６の上板部８と下板部９との間に形成される隙間１０の幅寸法にほぼ相当する厚みを有する円板状に形成されている。第２回転部材７は、第３上面７ａ、第３上面７ａとは反対側に位置する第３下面７ｂ、及び第３上面７ａの周縁と第３下面７ｂの周縁との間を取り囲む円周面７ｃとを有し、円周面７ｃの一部が装着ピン３の一端部３ａにロウ付けされている。第２回転部材７の直径は、前記第１回転部材６の上板部８及び下板部９の一辺の長さと同じかそれ以下が望ましい。第２回転部材７が第１回転部材６からはみ出さないので見栄えが損なわれない。なお、第２回転部材７は、前述したように、装着ピン３の一端部３ａにロウ付けすることで設けられる他、装着ピン３の一部として装着ピン３と一体成形によって設けられることもある。
【００２０】
また、第２回転部材７の中心には第３上面７ａと第３下面７ｂとを貫通する第３取付孔７ｄが設けられている。この第３取付孔７ｄの直径は、前記第１回転部材６に設けられた第１取付孔８ｄ及び第２取付孔９ｄの直径とほぼ同じかやや大きめである。これにより第１回転部材６に対する第２回転部材７の回転を可能としている。前記第２回転部材７の第３上面７ａと第３下面７ｂは互いに平行であり、且つ両面とも平滑な平面である。
【００２１】
さらに、第２回転部材７の第３下面７ｂには、第３下面７ｂの後端部付近から突出する凸部７ｅが設けられている。この凸部７ｅは、例えば半球状の突起からなり、第２回転部材７の第３下面７ｂの中心部と第２回転部材７がロウ付けされる装着ピン３の一端部３ａとを結ぶライン上に配置されている。この凸部７ｅは、前記第１回転部材６の下板部９に設けられた一対の凹部９ｅ，９ｆに凸部７ｅの一部又は全部が嵌り込む大きさとなっている。両者は、後述するように、装飾体２又は装着ピン３を一つの平面上で回動させたときに、凹部９ｅ，９ｆに凸部７ｅが嵌り込むことで、装飾体２又は装着ピン３の回動範囲を規制する。
【００２２】
すなわち、図１に示されるように、装飾体２のリングの直径方向と平行な縦平面１３に対して、これと直交する横平面１４上において、装着ピン３は装飾体２に対して回動可能であり、この回動可能範囲が前記凹部９ｅ，９ｆと凸部７ｅとの嵌合によって規制される。図１において、符号３Ａは、装着ピン３を矢印Ａ方向に回動させた時に、一方の凹部９ｅに凸部７ｅが嵌り込んでＡ方向の回動が規制される装着ピン３の位置であり、符号３Ｂは、装着ピン３を矢印Ｂ方向に回動させた時に、他方の凹部９ｆに凸部７ｅが嵌り込んでＢ方向の回動が規制される装着ピン３の位置である。装着ピン３は、図１に示されるように、回転機構４から真っ直ぐ延びた中心の位置から左右に角度θの範囲で回動可能となる。このように、装着ピン３の回動範囲を規制することで、装着ピン３を不用意に回動させ過ぎることがない。その結果、装着ピン３の損傷を効果的に防ぐことができる。なお、装着ピン３を基準とした場合には、装飾体２の方が角度θと同じ角度範囲で回動可能となる。
【００２３】
次に、上記構成からなる第１回転部材６と第２回転部材７との連結について説明する。図２乃至図５に示されるように、予め第１回転部材６の上板部８に設けられた収容部８ｅに弾性体１１を収容し保持しておく。
【００２４】
次いで、第１回転部材６の上板部８と下板部９との間の隙間１０に第２回転部材７を差し込む。第１回転部材６の第１取付孔８ｄ及び第２取付孔９ｄに第２回転部材７の第３取付孔７ｄを位置合わせした後、上板部８の第１上面８ａ側から各取付孔８ｄ，７ｄ，９ｄに固定ピン１５を挿通し、上板部８の第１上面８ａ及び下板部９の第２下面９ｂに固定ピン１５の上下の端部をそれぞれレーザ溶接し、第１回転部材６と固定ピン１５とを固定する。第２回転部材７は、第１回転部材６の上板部８と下板部９との間に弾性的に挟み込まれた状態となり、また固定ピン１５に対して回転可能である。このようにして、第１回転部材６と第２回転部材７とが回転可能に連結される。このとき回転機構４は、第１回転部材６の上板部８の第１下面８ｂと第２回転部材７の第３上面７ａとの間に回動保持手段としての弾性体１１が配置され、また第１回転部材６の下板部９の第２上面９ａと第２回転部材７の第３下面７ｂとの間に前記ストッパ手段を構成する凹部９ｅ，９ｆと凸部７ｅとが配置された連結構造となる。
【００２５】
第１回転部材６の上板部８の第１下面８ｂと第２回転部材７の第３上面７ａ、第１回転部材６の下板部９の第２上面９ａと第２回転部材７の第３下面７ｂは、それぞれが平滑な平面となっているので、第１下面８ｂと第３上面７ａとの間、及び第２上面９ａと第３下面７ｂとの間は、互いの面同士が摺動する。特に、第１下面８ｂと第３上面７ａとの間に配置された弾性体１１がシリコンゴムにより形成されていることから、面同士の摺動がより滑らかなものになる。また、第２上面９ａと第３下面７ｂとの間では第３下面７ｂに設けられた凸部７ｅが半球状に形成されているので、凸部７ｅが第２上面９ａを摺動する際の摩擦抵抗が小さなものとなる。このようにして、第１回転部材６と第２回転部材７は、少なくとも一つの平面上で適度な摺動抵抗を保ちながら相互に回転可能となる。
【００２６】
図４に示されるように、第１回転部材６に対して第２回転部材７が回転する際には、弾性部材１１の弾性作用によって第２回転部材７が第１回転部材６の下板部９側に弾性的に押圧された状態で回転する。そのために、凸部７ｅは下板部９の第２上面９ａに設けられた一対の凹部９ｅ，９ｆによって規制された回動範囲内において、下板部９の第２上面９ａを適度な摺動抵抗を保ちながら摺動回転する。そして、任意の回転位置で停止させた時にはその止めた位置で保持される。
【００２７】
また、図５に示されるように、前記凸部７ｅが下板部９の第２上面９ａに設けられた左右の凹部９ｅ，９ｆに嵌り込む際にも、前記弾性部材１１の適度の弾性作用によって係合状態が保持される。
【００２８】
前述したように、図１には上記回転機構４を介して装飾体２と装着ピン３とが連結されたピアス１が示されている。装飾体２は種々の形態をとり得るが、この実施形態では円環状の装飾リングからなる。装飾リング２の一部が開放されており、その一端部２ａから回転機構４を介して装着ピン３が延びている。
【００２９】
また、装飾リング２と装着ピン３は、回転機構４を支点として相互に回動可能である。そのため、ピアス１を耳に装着する際、図６に示されるように、装飾リング２に対して装着ピン３を耳たぶ１７の孔に差し込みキャッチ５で留めただけでは、顔１８の正面から装飾リング２を見た時に装飾リング２が少し横向きになってしまう。そこで、図７に示されるように、耳たぶ１７に留めた装着ピン３に対して装飾リング２を所定角度だけ回動させ、装飾リング２が頬と平行になるように角度調整することで、顔１８の正面から装飾リング２を見た時に装飾リング２が真っ直ぐに見える。このように、装飾リング２の向きを簡単に調整することができ、また装飾リング２を所望の向きで保持させることができる。
【００３０】
図８には、上述した回転機構の他の実施形態が示されている。この実施形態に係る回転機構４’は、第１回転部材６と第２回転部材７の位置関係を上記実施形態に示したものとは逆にしたものである。すなわち、この実施形態では装着ピン３の一端部３ａに上板部８と下板部９とからなる第１回転部材６が設けられ、装飾体２の一端部２ａに第２回転部材７が設けられている。第１回転部材６の下板部９に設けられる凹部９ｅ，９ｆは、下板部９の第２上面９ａの後端側の左右角部付近に配置され、第２回転部材７の第３下面７ｂに設けられる凸部７ｅは、第３下面７ｂの先端部付近に配置されている以外は、先の実施形態のものとほぼ同じ構成からなるので、同一の符号を付すことで詳細な説明を省略する。
【００３１】
また、上記実施形態では、装飾体２又は装着ピン３の回動範囲を規制するストッパ手段として、第１回転部材６側に凹部９ｅ，９ｆを、第２回転部材７側に前記凹部９ｅ，９ｆに嵌り込む凸部７ｅを設けた場合について説明したが、凹部と凸部の位置関係が上記実施形態に示したものとは逆であってもよい。その場合には、第１回転部材６に一対の凹部の代わりに一対の凸部を設け、第２回転部材７に一つの凸部の代わりに一つの凹部を設けることで、同様の作用効果を発揮させることができる。
【符号の説明】
【００３２】
１  ピアス
２  装飾体(装飾リング)
２ａ  一端部
３  装着ピン
３ａ  一端部
４，４’  回転機構
５  キャッチ
６  第１回転部材
７  第２回転部材
７ａ  第３上面
７ｂ  第３下面
７ｃ  円周面
７ｄ  第３取付孔
７ｅ  凸部(ストッパ手段)
８  上板部
８ａ  第１上面
８ｂ  第１下面
８ｃ  第１外周面
８ｄ  第１取付孔
８ｅ  収容部
９  下板部
９ａ  第２上面
９ｂ  第２下面
９ｃ  第２外周面
９ｄ  第２取付孔
９ｅ，９ｆ  凹部（ストッパ手段）
９ｇ  角部
１０  隙間
１１弾性体(回動保持手段)
１１ａ  円孔
１３  縦平面
１４  横平面
１５  固定ピン
１７  耳たぶ
１８  顔
【図１】
2020000480.tif 000003
【図２】
2020000480.tif 000004
【図３】
2020000480.tif 000005
【図４】
2020000480.tif 000006
【図５】
2020000480.tif 000007
【図６】
2020000480.tif 000008
【図７】
2020000480.tif 000009
【図８】
2020000480.tif 000010
【手続補正書】
【提出日】令和1年7月19日(2019.7.19)
【手続補正１】
【補正対象書類名】特許請求の範囲
【補正対象項目名】全文
【補正方法】変更
【補正の内容】
【特許請求の範囲】
【請求項１】
装飾体と、回転機構を介して装飾体に回動可能に連結される装着ピンと、を備え、
前記回転機構は、装飾体に設けられる第１回転部材と、装着ピンに設けられる第２回転部材と、互いに回転可能に連結された第１回転部材と第２回転部材との間に配置され装飾体又は装着ピンを所望の回動位置で保持する回動保持手段と、装飾体と装着ピンとの間の回動範囲を規制するストッパ手段と、を有し、
前記ストッパ手段が第１回転部材及び第２回転部材のいずれか一方に形成された一対の凹部と、これらの凹部と向かい合うようにして他方に形成された一つの凸部とを有し、前記装飾体又は装着ピンの一方向の回動時には前記一対の凹部の一方に凸部が嵌り込み、前記装飾体又は装着ピンの他方向の回動時には前記一対の凹部の他方に凸部が嵌り込むことで、前記装飾体又は装着ピンの回動範囲が規制されるピアス。
【請求項２】
前記回動保持手段が、第１回転部材と第２回転部材との間に弾性的に配置される弾性体を有する請求項１に記載のピアス。
【請求項３】
前記弾性体が、第１回転部材及び第２回転部材の少なくとも一方に形成された収容部に保持される請求項２に記載のピアス。
【請求項４】
前記ストッパ手段は、前記装飾体の一端部に設けられる第１回転部材に形成された凹部と、この凹部と向かい合うようにして前記装着ピンの一端部に設けられる第２回転部材に形成された凸部と、を有する請求項１に記載のピアス。
【手続補正２】
【補正対象書類名】明細書
【補正対象項目名】０００７
【補正方法】変更
【補正の内容】
【０００７】
上記課題を解決するために、本発明に係るピアスは、装飾体と、回転機構を介して装飾体に回動可能に連結される装着ピンと、を備え、前記回転機構は、装飾体に設けられる第１回転部材と、装着ピンに設けられる第２回転部材と、互いに回転可能に連結された第１回転部材と第２回転部材との間に配置され装飾体又は装着ピンを所望の回動位置で保持する回動保持手段と、装飾体と装着ピンとの間の回動範囲を規制するストッパ手段と、を有し、前記ストッパ手段が第１回転部材及び第２回転部材のいずれか一方に形成された一対の凹部と、これらの凹部と向かい合うようにして他方に形成された一つの凸部とを有し、前記装飾体又は装着ピンの一方向の回動時には前記一対の凹部の一方に凸部が嵌り込み、前記装飾体又は装着ピンの他方向の回動時には前記一対の凹部の他方に凸部が嵌り込むことで、前記装飾体又は装着ピンの回動範囲が規制される。
【手続補正３】
【補正対象書類名】明細書
【補正対象項目名】０００８
【補正方法】変更
【補正の内容】
【０００８】
また、本発明に係るピアスの一実施形態は、前記回動保持手段が、第１回転部材と第２回転部材との間に弾性的に配置される弾性体を有している。